(57)【要約】【課題】共通の外部端末によって、複数種類の加熱調理器それぞれに対応した機器連携処理を実行可能とする技術を提供する。【解決手段】本明細書が開示する機器連携システムは、加熱調理器と、前記加熱調理器と通信可能な外部端末を備えていてもよい。前記加熱調理器は、第１識別情報を有する第１加熱調理器と、第２識別情報を有する第２加熱調理器を含むグループから選択されていてもよい。前記外部端末は、前記加熱調理器が前記第１識別情報を有する場合に、前記第１加熱調理器に対応する第１機器連携処理を実行してもよく、前記加熱調理器が前記第２識別情報を有する場合に、前記第２加熱調理器に対応する第２機器連携処理を実行してもよい。【選択図】図１
2020120166.tif 000002
【特許請求の範囲】
【請求項１】
加熱調理器と、前記加熱調理器と通信可能な外部端末を備える機器連携システムであって、
前記加熱調理器は、第１識別情報を有する第１加熱調理器と、第２識別情報を有する第２加熱調理器を含むグループから選択されており、
前記外部端末は、前記加熱調理器が前記第１識別情報を有する場合に、前記第１加熱調理器に対応する第１機器連携処理を実行し、前記加熱調理器が前記第２識別情報を有する場合に、前記第２加熱調理器に対応する第２機器連携処理を実行する、機器連携システム。
【請求項２】
前記第１加熱調理器が、第１電池を備えており、前記第１電池から供給される電力によって動作し、
前記第２加熱調理器が、第２電池を備えており、前記第２電池から供給される電力によって動作し、
前記第１機器連携処理が、前記第１加熱調理器における前記第１電池の交換に関する情報をユーザに提示する第１電池交換情報提示処理を含んでおり、
前記第２機器連携処理が、前記第２加熱調理器における前記第２電池の交換に関する情報をユーザに提示する第２電池交換情報提示処理を含んでいる、請求項１の機器連携システム。
【請求項３】
前記加熱調理器と前記外部端末の間の距離を検出する距離検出装置をさらに備えており、
前記外部端末は、前記第１機器連携処理または前記第２機器連携処理を実行する際に、前記距離検出装置で検出される距離に応じて、実行する処理の内容を切り換える、請求項１または２の機器連携システム。
【請求項４】
前記外部端末と通信可能なサーバ装置をさらに備えており、
前記サーバ装置は、前記加熱調理器が前記第１識別情報を有する場合に、前記外部端末が前記第１機器連携処理を実行する際に使用する第１情報を前記外部端末に送信し、前記加熱調理器が前記第２識別情報を有する場合に、前記外部端末が前記第２機器連携処理を実行する際に使用する第２情報を前記外部端末に送信する、請求項１から３の何れか一項の機器連携システム。
【請求項５】
加熱調理器と通信可能な外部端末において実行されるプログラムであって、
前記加熱調理器は、第１識別情報を有する第１加熱調理器と、第２識別情報を有する第２加熱調理器を含むグループから選択されており、
前記プログラムは、前記外部端末のコンピュータに、
前記加熱調理器が前記第１識別情報を有する場合に、前記第１加熱調理器に対応する第１機器連携処理を実行させ、前記加熱調理器が前記第２識別情報を有する場合に、前記第２加熱調理器に対応する第２機器連携処理を実行させる、プログラム。
【発明の詳細な説明】
【技術分野】
【０００１】
本明細書に開示の技術は、機器連携システムおよびプログラムに関する。
【背景技術】
【０００２】
特許文献１には、加熱調理器と、前記加熱調理器と通信可能な外部端末を備える機器連携システムが開示されている。前記機器連携システムでは、前記外部端末は、前記加熱調理器に対応する機器連携処理を実行する。
【先行技術文献】
【特許文献】
【０００３】
【特許文献１】特開２０１４−１６３５３８号公報
【発明の概要】
【発明が解決しようとする課題】
【０００４】
一般に、加熱調理器としては、加熱手段の種類や個数、配置等が異なるものや、自動調理等の機能が異なるものなど、複数種類の加熱調理器が販売されている。外部端末が、特定の加熱調理器に対応した機器連携処理を実行可能であるものの、他の加熱調理器に対応した機器連携処理を実行不能である場合、ユーザは、自身が使用している加熱調理器に対応した外部端末をその都度用意しなければならず、煩わしさを感じる。本明細書では、加熱調理器と外部端末を備える機器連携システムにおいて、共通の外部端末によって、複数種類の加熱調理器それぞれに対応した機器連携処理を実行可能とする技術を提供する。
【課題を解決するための手段】
【０００５】
本明細書が開示する機器連携システムは、加熱調理器と、前記加熱調理器と通信可能な外部端末を備えていてもよい。前記加熱調理器は、第１識別情報を有する第１加熱調理器と、第２識別情報を有する第２加熱調理器を含むグループから選択されていてもよい。前記外部端末は、前記加熱調理器が前記第１識別情報を有する場合に、前記第１加熱調理器に対応する第１機器連携処理を実行してもよく、前記加熱調理器が前記第２識別情報を有する場合に、前記第２加熱調理器に対応する第２機器連携処理を実行してもよい。
【０００６】
上記の機器連携システムによれば、加熱調理器が第１加熱調理器である場合であっても、第２加熱調理器である場合であっても、共通の外部端末によって、それぞれの加熱調理器に対応した機器連携処理を実行することができる。
【０００７】
前記第１加熱調理器は、第１電池を備えていてもよく、前記第１電池から供給される電力によって動作してもよい。前記第２加熱調理器は、第２電池を備えていてもよく、前記第２電池から供給される電力によって動作してもよい。前記第１機器連携処理は、前記第１加熱調理器における前記第１電池の交換に関する情報をユーザに提示する第１電池交換情報提示処理を含んでいてもよい。前記第２機器連携処理は、前記第２加熱調理器における前記第２電池の交換に関する情報をユーザに提示する第２電池交換情報提示処理を含んでいてもよい。
【０００８】
一般的に、加熱調理器の種類が異なると、その加熱調理器で使用される電池の種類や個数、電池交換の方法なども異なる。上記の機器連携システムによれば、共通の外部端末を用いて、加熱調理器が第１加熱調理器である場合には、第１加熱調理器における電池交換に関する情報をユーザに提示することができ、加熱調理器が第２加熱調理器である場合には、第２加熱調理器における電池交換に関する情報をユーザに提示することができる。
【０００９】
前記機器連携システムは、前記加熱調理器と前記外部端末の間の距離を検出する距離検出装置をさらに備えていてもよい。前記外部端末は、前記第１機器連携処理または前記第２機器連携処理を実行する際に、前記距離検出装置で検出される距離に応じて、実行する処理の内容を切り換えてもよい。
【００１０】
例えば電池交換といった加熱調理器のメンテナンスに関する情報を外部端末によって提示する場合、ユーザが加熱調理器から離れた位置にいる時に、加熱調理器に対する具体的なメンテナンス方法を提示しても、ユーザは加熱調理器のメンテナンスをすぐに実行することはできない。上記の構成によれば、加熱調理器と外部端末の間の距離に応じて、外部端末が実行する機器連携処理の内容を切り換えることで、ユーザの状況に応じた機器連携処理を実行することができる。
【００１１】
前記機器連携システムは、前記外部端末と通信可能なサーバ装置をさらに備えていてもよい。前記サーバ装置は、前記加熱調理器が前記第１識別情報を有する場合に、前記外部端末が前記第１機器連携処理を実行する際に使用する第１情報を前記外部端末に送信してもよく、前記加熱調理器が前記第２識別情報を有する場合に、前記外部端末が前記第２機器連携処理を実行する際に使用する第２情報を前記外部端末に送信してもよい。
【００１２】
上記の構成によれば、外部端末で行う処理の負荷を軽減することができる。
【００１３】
本明細書は、加熱調理器と通信可能な外部端末において実行されるプログラムも開示する。前記加熱調理器は、第１識別情報を有する第１加熱調理器と、第２識別情報を有する第２加熱調理器を含むグループから選択されていてもよい。前記プログラムは、前記外部端末のコンピュータに、前記加熱調理器が前記第１識別情報を有する場合に、前記第１加熱調理器に対応する第１機器連携処理を実行させてもよく、前記加熱調理器が前記第２識別情報を有する場合に、前記第２加熱調理器に対応する第２機器連携処理を実行させてもよい。
【００１４】
上記の構成によれば、加熱調理器が第１加熱調理器である場合であっても、第２加熱調理器である場合であっても、共通の外部端末によって機器連携処理を実行することができる。
【図面の簡単な説明】
【００１５】
【図１】実施例に係る機器連携システム１の構成を示す図である。
【図２】実施例に係る加熱調理器２の外観を示す斜視図である。
【図３】実施例に係る加熱調理器２の構成を模式的に示すブロック図である。
【図４】実施例に係る携帯端末１００の構成を模式的に示すブロック図である。
【図５】実施例に係る給湯リモコン２００の構成を模式的に示すブロック図である。
【図６】実施例に係る管理サーバ３００、レシピサーバ５００、アプリサーバ６００の構成を模式的に示すブロック図である。
【図７】実施例の加熱調理器２が行う処理の例を示すフローチャートである。
【図８】実施例の管理サーバ３００が行う処理の例を示すフローチャートである。
【図９】実施例の携帯端末１００が行う処理の例を示すフローチャートである。
【図１０】実施例の携帯端末１００が第１加熱調理器２’との連携処理を行う際に、表示部１０２に表示される説明画面１２０の例を示す図である。
【図１１】実施例の携帯端末１００が第２加熱調理器２’’との連携処理を行う際に、表示部１０２に表示される説明画面１３０の例を示す図である。
【発明を実施するための形態】
【００１６】
（実施例）
（機器連携システム１の構成）
図１を参照して、機器連携システム１について説明する。機器連携システム１は、加熱調理器２と、携帯端末１００と、給湯リモコン２００と、管理サーバ３００と、レシピサーバ５００と、アプリサーバ６００を備えている。
【００１７】
加熱調理器２と携帯端末１００は、Ｂｌｕｅｔｏｏｔｈ（登録商標）方式に従ったＢｌｕｅｔｏｏｔｈ（以下では、「ＢＴ」と記載する。）通信を介して、互いに通信可能である。また、加熱調理器２と給湯リモコン２００は、ＢＴ通信を介して、互いに通信可能である。携帯端末１００と、給湯リモコン２００は、それぞれ、Ｗｉ−Ｆｉ（登録商標）方式に従ったＷｉ−Ｆｉ通信を実行して、インターネット７００に接続可能である。管理サーバ３００と、レシピサーバ５００と、アプリサーバ６００は、それぞれ、インターネット７００に接続されている。
【００１８】
加熱調理器２は、機器製造会社によって製造され、機器販売会社からユーザに対して販売されている。管理サーバ３００とレシピサーバ５００は、機器製造会社によって管理されている。携帯端末１００は、携帯端末提供会社から、ユーザに対して販売されている。アプリサーバ６００は、携帯端末提供会社によって管理されている。給湯リモコン２００は、機器製造会社によって製造され、機器販売会社からユーザに対して販売されている給湯機器（図示せず）のリモコンである。
【００１９】
（加熱調理器２の構成）
図２、図３に示すように、加熱調理器２は、システムキッチンに組み込んで使用されるガス燃焼式のビルトインコンロである。図２に示すように、加熱調理器２は、前面４ａがシステムキッチンの手前側に露出する本体４と、本体４の上部に配置されており、システムキッチンのカウンタトップに露出する天板６と、を備えている。天板６には、加熱対象物である鍋やフライパン等の調理容器を支持する３つの五徳８ａ，８ｂ，８ｃと、それぞれの五徳８ａ，８ｂ，８ｃに対応して設けられており、それぞれの五徳８ａ，８ｂ，８ｃに支持された加熱対象物を加熱する３つのコンロバーナ１０ａ，１０ｂ，１０ｃと、それぞれのコンロバーナ１０ａ，１０ｂ，１０ｃに対応して設けられている温度センサ１２ａ，１２ｂ，１２ｃと、が設けられている。コンロバーナ１０ａには、ガス供給路（図示省略）が接続されている。ガス供給路には、コンロバーナ１０ａへのガスの供給量を調整するための流量調整弁（図示省略）が設けられている。コンロバーナ１０ａは、コンロバーナ１０ａにガスが供給されている状態でイグナイタ（図示省略）を動作させることで点火する。コンロバーナ１０ａへのガスの供給量を調整することで、コンロバーナ１０ａの加熱量を調整することができる。コンロバーナ１０ａへのガスの供給を停止することで、コンロバーナ１０ａを消火することができる。コンロバーナ１０ｂ、１０ｃは、コンロバーナ１０ａと同様の構造を有する。温度センサ１２ａ，１２ｂ，１２ｃは、五徳８ａ，８ｂ，８ｃに支持される加熱対象物の存在を検出するとともに、加熱対象物の底の温度を検出する。
【００２０】
本体４は、本体４の内部に設けられて食材を収容するグリル庫２０と、本体４の前面４ａに配置されてグリル庫２０を開閉するグリル扉２２と、本体４の前面４ａにおいてグリル扉２２の右側に設けられたコンロ操作部２４と、本体４の前面４ａにおいてグリル扉２２の左側に設けられたグリル操作部２６と、を備えている。なお、グリル庫２０の内部には、グリル庫２０内に収容した食材を加熱するグリルバーナ２１（図３参照）が設けられている。
【００２１】
コンロ操作部２４は、加熱調理器２の電源スイッチ４０と、３つの加熱量操作部４２ａ，４２ｂ，４２ｃと、パネル操作部４４と、を備える。加熱量操作部４２ａ，４２ｂ，４２ｃは、それぞれ、コンロバーナ１０ａ，１０ｂ，１０ｃに対応する。加熱量操作部４２ａ，４２ｂ，４２ｃは、コンロバーナ１０ａ，１０ｂ，１０ｃの点火及び消火を行うとともに、コンロバーナ１０ａ，１０ｂ，１０ｃの加熱量の調整を行うための操作部である。
【００２２】
パネル操作部４４は、コンロ表示部４６と、コンロ設定操作部４８ａ、４８ｂ、４８ｃと、を備える。コンロ表示部４６には、各コンロバーナ１０ａ、１０ｂ、１０ｃの動作状態などが表示される。ユーザは、コンロ設定操作部４８ａ、４８ｂ、４８ｃを操作することで、コンロバーナ１０ａ、１０ｂ、１０ｃによって加熱される加熱対象物の温度の設定や自動調理の設定などをすることができる。
【００２３】
グリル操作部２６は、加熱量操作部６０と、パネル操作部６２と、を備える。ユーザは、加熱量操作部６０を操作することによって、グリルバーナ２１の点火及び消火を行うとともに、グリルバーナ２１の加熱量の調整を行うことができる。
【００２４】
パネル操作部６２は、グリル表示部６４と、グリル設定操作部６６と、を備える。グリル表示部６４には、グリルバーナ２１の動作状態などが表示される。ユーザは、グリル設定操作部６６を操作することで、グリルバーナ２１によって加熱される加熱対象物の温度の設定や自動調理の設定などをすることができる。
【００２５】
図３に示すように、加熱調理器２はさらに、乾電池６８と、電池残量検出部７０と、ＢＴＩ／Ｆ（インタフェースの略）７２と、制御部８０と、を備える。なお、図３では、図示の明瞭化のために、コンロバーナ１０ｂ、１０ｃ、温度センサ１２ｂ、１２ｃ、加熱量操作部４２ｂ、４２ｃ、コンロ設定操作部４８ｂ、４８ｃの図示を省略している。乾電池６８は、加熱調理器２の各電子部品に電力を供給する。電池残量検出部７０は、乾電池６８の電池残量を示す指標となる物理量を検出する。本実施例では、電池残量検出部７０は、乾電池６８の電池残量を示す指標として、乾電池６８の端子電圧を検出する。ＢＴＩ／Ｆ７２は、外部機器とのＢＴ通信を実行するための無線Ｉ／Ｆである。加熱調理器２は、ＢＴＩ／Ｆ７２を介して、携帯端末１００及び給湯リモコン２００とＢＴ通信を実行可能である。
【００２６】
制御部８０は、加熱調理器２の動作を制御する。制御部８０は、不揮発性のメモリ８２を備える。制御部８０は、メモリ８２に格納されているメインプログラムに従って、加熱調理器２の動作を制御する。また、メモリ８２には、加熱調理器２の型式情報、加熱調理器２のユーザを示すユーザ情報、加熱調理器２の使用開始時期や使用回数、各種の動作モードの使用頻度を示す運転情報、エラー履歴を示すエラー情報、乾電池６８の電池残量を示す電池残量情報等を格納している。さらに、メモリ８２には、レシピデータを格納可能である。制御部８０は、自動調理を実行する際に、メモリ８２に格納されたレシピデータに従って、コンロバーナ１０ａ，１０ｂ，１０ｃやグリルバーナ２１等の動作を制御する。
【００２７】
加熱調理器２は、第１加熱調理器２’である場合もあるし、第２加熱調理器２’’である場合もある。第１加熱調理器２’と、第２加熱調理器２’’は、いずれも上記した加熱調理器２の構成を備えているが、例えば、コンロバーナ１０ａ，１０ｂ，１０ｃの最大火力や、グリルバーナ２１の個数（片面焼きの場合、グリルバーナ２１は１つであり、両面焼きの場合、グリルバーナ２１は２つである）や、乾電池６８の種類や個数、収納方法等が異なっている。以下では、第１加熱調理器２’で使用される乾電池６８を第１乾電池６８’ともいい、第２加熱調理器２’’で使用される乾電池６８を第２乾電池６８’’ともいう。第１加熱調理器２’と第２加熱調理器２’’では、メモリ８２に格納された型式情報が異なっている。以下では、第１加熱調理器２’が有する型式情報を、第１識別情報ともいい、第２加熱調理器２’’が有する型式情報を、第２識別情報ともいう。
【００２８】
（携帯端末１００の構成）
携帯端末１００は、携帯電話、スマートフォン等の可搬型の端末装置である。図４に示すように、携帯端末１００は、表示部１０２と、操作部１０４と、ＢＴＩ／Ｆ１０６と、Ｗｉ−ＦｉＩ／Ｆ１０８と、制御部１１０と、を備える。表示部１０２は、様々な情報を表示するためのディスプレイである。表示部１０２は、いわゆるタッチパネル（即ち操作部１０４）として機能してもよい。操作部１０４は、複数のキーを備える。ユーザは、操作部１０４を操作することによって、様々な指示を携帯端末１００に入力することができる。ＢＴＩ／Ｆ１０６は、外部機器とのＢＴ通信を実行するための無線Ｉ／Ｆである。携帯端末１００は、ＢＴＩ／Ｆ１０６を介して、加熱調理器２とＢＴ通信を実行可能である。Ｗｉ−ＦｉＩ／Ｆ１０８は、外部機器とのＷｉ−Ｆｉ通信を実行するための無線Ｉ／Ｆである。携帯端末１００は、Ｗｉ−ＦｉＩ／Ｆ１０８を介して、インターネット７００に接続されたＷｉ−Ｆｉルータ８００と通信可能である。なお、携帯端末１００が携帯電話通信網（図示せず）と通信可能な携帯電話通信Ｉ／Ｆ（図示せず）を備えている場合、携帯端末１００は、Ｗｉ−Ｆｉルータ８００を介さずに、携帯電話通信網を介してインターネット７００に接続可能であってもよい。制御部１１０は、携帯端末１００の動作を制御する。制御部１１０は、不揮発性のメモリ１１２を備える。メモリ１１２には、携帯端末１００の型式情報、携帯端末１００のユーザを示すユーザ情報等を格納している。また、メモリ１１２には、アプリケーションプログラム（アプリ）が格納可能である。制御部１１０は、メモリ１１２に格納されたアプリを実行可能である。
【００２９】
（給湯リモコン２００の構成）
給湯リモコン２００は、加熱調理器２が組み込まれたシステムキッチンの近傍の壁面に据え付けられており、ユーザに給湯機器の情報を提示するとともに、ユーザからの給湯機器への操作入力を受け入れるリモコンである。図５に示すように、給湯リモコン２００は、表示部２０２と、操作部２０４と、ＢＴＩ／Ｆ２０６と、Ｗｉ−ＦｉＩ／Ｆ２０８と、制御部２１０と、を備える。表示部２０２は、様々な情報を表示するためのディスプレイである。操作部２０４は、複数のキーを備える。ユーザは、操作部２０４を操作することによって、様々な指示を給湯リモコン２００に入力することができる。ＢＴＩ／Ｆ２０６は、外部機器とのＢＴ通信を実行するための無線Ｉ／Ｆである。給湯リモコン２００は、ＢＴＩ／Ｆ２０６を介して、加熱調理器２とＢＴ通信を実行可能である。Ｗｉ−ＦｉＩ／Ｆ２０８は、外部機器とのＷｉ−Ｆｉ通信を実行するための無線Ｉ／Ｆである。給湯リモコン２００は、Ｗｉ−ＦｉＩ／Ｆ２０８を介して、インターネット７００に接続されたＷｉ−Ｆｉルータ８００と通信可能である。制御部２１０は、給湯リモコン２００の動作を制御する。制御部２１０は、不揮発性のメモリ２１２を備える。
【００３０】
（管理サーバ３００の構成）
図６に示す管理サーバ３００は、加熱調理器２の機器情報と、加熱調理器２に対応する携帯端末１００の機器情報を収集するとともに、携帯端末１００が加熱調理器２との機器連携処理を実行する際に使用するデータを携帯端末１００に送信するサーバ装置である。管理サーバ３００は、制御部３１０と、記憶部３２０を備えている。制御部３１０は、加熱調理器２の型式情報、ユーザ情報、運転情報、エラー情報、電池残量情報等の機器情報を受信すると、記憶部３２０に格納する。また、制御部３１０は、加熱調理器２に対応する携帯端末１００の型式情報、ユーザ情報等の機器情報を受信すると、加熱調理器２の機器情報と対応付けて記憶部３２０に格納する。また、記憶部３２０には、加熱調理器２のメンテナンスデータベース（ＤＢ）が格納されている。メンテナンスＤＢには、加熱調理器２の複数の型式情報それぞれに対応する、その加熱調理器２で使用する乾電池６８の種類および個数を示す使用電池情報、その加熱調理器２における乾電池６８の電池交換の手順を示す電池交換手順情報、その加熱調理器２で使用する専用容器（図示せず）の取付手順を示す容器取付手順情報、その加熱調理器２の掃除の手順を示す掃除手順情報等が含まれている。
【００３１】
（レシピサーバ５００の構成）
レシピサーバ５００は、加熱調理器２にレシピデータを提供するためのサーバ装置である。レシピサーバ５００は、制御部５１０と、記憶部５２０を備えている。記憶部５２０には、加熱調理器２で実行可能な自動調理に対応する複数のレシピデータが格納されている。制御部５１０は、携帯端末１００または給湯リモコン２００から、加熱調理器２に対するレシピデータのダウンロード要求を受信すると、記憶部５２０に格納されているレシピデータの中から指定されたレシピデータを加熱調理器２に送信する。なお、レシピサーバ５００から加熱調理器２へのレシピデータの送信は、携帯端末１００を介して行ってもよいし、給湯リモコン２００を介して行ってもよい。
【００３２】
（アプリサーバ６００の構成）
アプリサーバ６００は、携帯端末１００にアプリを提供するためのサーバ装置である。アプリサーバ６００は、制御部６１０と、記憶部６２０を備えている。記憶部６２０には、加熱調理器アプリを含む、複数のアプリが格納されている。制御部６１０は、携帯端末１００からアプリのダウンロード要求があると、記憶部６２０に格納されたアプリの中から指定されたアプリを携帯端末１００に送信する。
【００３３】
加熱調理器アプリは、加熱調理器２の機器製造会社によって提供されており、加熱調理器２と携帯端末１００を連携動作させるためのアプリである。携帯端末１００が加熱調理器アプリを実行すると、携帯端末１００は加熱調理器２から機器情報を取得して、加熱調理器２の機器情報と、携帯端末１００の機器情報を、管理サーバ３００に送信する。また、携帯端末１００が加熱調理器アプリを実行している時に、ユーザがダウンロードしたいレシピデータを携帯端末１００で選択すると、携帯端末１００はレシピサーバ５００に加熱調理器２に対するレシピデータのダウンロード要求を送信して、レシピサーバ５００から加熱調理器２にレシピデータを送信させる。
【００３４】
（加熱調理器２の電池残量監視処理）
以下では図７を参照して、加熱調理器２の乾電池６８の電池残量を監視する処理について説明する。加熱調理器２の制御部８０は、電源スイッチ４０が操作されて電源がＯＮになると、図７の処理を実行する。
【００３５】
Ｓ２では、制御部８０は、電池残量検出部７０によって、乾電池６８の電池残量を検出する。
【００３６】
Ｓ４では、制御部８０は、Ｓ２で検出された乾電池６８の電池残量が、所定電池残量を超えているか否かを判断する。所定電池残量は、ユーザに乾電池６８の交換を促す電池残量として設定されている。乾電池６８の電池残量が所定電池残量を超えている場合（ＹＥＳの場合）、処理はＳ２へ戻る。乾電池６８の電池残量が所定電池残量以下の場合（ＮＯの場合）、処理はＳ６へ進む。
【００３７】
Ｓ６では、制御部８０は、加熱調理器２の型式情報と、乾電池６８の電池残量が低減した事を示す電池残量低減情報を、管理サーバ３００に送信する。Ｓ６の後、処理はＳ２へ戻る。
【００３８】
（管理サーバ３００の電池交換関連情報送信処理）
以下では図８を参照して、管理サーバ３００が行う、加熱調理器２の乾電池６８の電池交換に関連する電池交換関連情報の送信処理について説明する。管理サーバ３００の制御部３１０は、常時、図８の処理を実行する。
【００３９】
Ｓ１２では、制御部３１０は、加熱調理器２から電池残量低減情報を受信したか否かを判断する。加熱調理器２から電池残量関連情報を受信しない場合（ＮＯの場合）、処理はＳ１２へ戻る。加熱調理器２から電池残量低減情報を受信すると（ＹＥＳとなると）、処理はＳ１４へ進む。
【００４０】
Ｓ１４では、制御部３１０は、電池残量低減情報を送信した加熱調理器２の型式情報に基づいて、その加熱調理器２についての電池交換関連情報を特定する。電池交換関連情報は、加熱調理器２で使用する乾電池６８の種類および個数を示す使用電池情報と、加熱調理器２における乾電池６８の電池交換の手順を示す電池交換手順情報を含んでいる。本実施例では、制御部３１０は、加熱調理器２の型式情報をキーとして、記憶部３２０に格納されたメンテナンスＤＢから、その加熱調理器２の使用電池情報と、電池交換手順情報をそれぞれ特定する。例えば、加熱調理器２が第１加熱調理器２’である場合、第１加熱調理器２’で使用する第１乾電池６８’の種類および個数を示す使用電池情報が特定されるとともに、第１加熱調理器２’における第１乾電池６８’の電池交換の手順を示す電池交換手順情報が特定される。加熱調理器２が第２加熱調理器２’’である場合、第２加熱調理器２’’で使用する第２乾電池６８’’の種類および個数を示す使用電池情報が特定されるとともに、第２加熱調理器２’’における第２乾電池６８’’の電池交換の手順を示す電池交換手順情報が特定される。
【００４１】
Ｓ１６では、制御部３１０は、Ｓ１４で特定した電池交換関連情報を、加熱調理器２に対応する携帯端末１００に送信する。Ｓ１６の後、処理はＳ１２へ戻る。
【００４２】
（携帯端末１００の電池交換関連情報提示処理）
以下では図９を参照して、携帯端末１００が行う、電池交換関連情報の提示処理について説明する。携帯端末１００の制御部１１０は、加熱調理器アプリが実行されている場合に、図９の処理を実行する。
【００４３】
Ｓ２２では、制御部１１０は、管理サーバ３００から、電池交換関連情報を受信したか否かを判断する。管理サーバ３００から電池交換関連情報を受信しない場合（ＮＯの場合）、処理はＳ２２へ戻る。管理サーバ３００から電池交換関連情報を受信した場合（ＹＥＳの場合）、処理はＳ２４へ進む。
【００４４】
Ｓ２４では、制御部１１０は、携帯端末１００と加熱調理器２の間の距離を特定する。例えば、制御部１１０は、携帯端末１００と加熱調理器２の間のＢＴ通信における受信電波強度に基づいて、携帯端末１００と加熱調理器２の間の距離を算出することができる。
【００４５】
Ｓ２６では、制御部１１０は、Ｓ２４で特定された携帯端末１００と加熱調理器２の間の距離が、所定距離以下であるか否かを判断する。携帯端末１００と加熱調理器２の間の距離が所定距離を超えている場合（ＮＯの場合）、処理はＳ２８へ進む。
【００４６】
Ｓ２８では、制御部１１０は、電池交換関連情報に含まれる使用電池情報に基づいて、加熱調理器２の乾電池６８の電池交換が必要であることを示すメッセージとともに、加熱調理器２で使用する乾電池６８の種類および個数を、表示部１０２に表示する。例えば、加熱調理器２が第１加熱調理器２’である場合、第１加熱調理器２’の第１乾電池６８’の電池交換が必要であることを示すメッセージとともに、第１加熱調理器２’で使用する第１乾電池６８’の種類および個数が、表示部１０２に表示される。また、加熱調理器２が第２加熱調理器２’’である場合、第２加熱調理器２’’の第２乾電池６８’’の電池交換が必要であることを示すメッセージとともに、第２加熱調理器２’’で使用する第２乾電池６８’’の種類および個数が、表示部１０２に表示される。Ｓ２８の後、処理はＳ２２へ戻る。
【００４７】
Ｓ２６で、携帯端末１００と加熱調理器２の間の距離が所定距離以下の場合（ＹＥＳの場合）、処理はＳ３０へ進む。
【００４８】
Ｓ３０では、制御部１１０は、電池交換関連情報に含まれる電池交換手順情報に基づいて、加熱調理器２の乾電池６８の電池交換の手順を示す説明画面を、表示部１０２に表示する。例えば、加熱調理器２が第１加熱調理器２’である場合、図１０に示す説明画面１２０が表示部１０２に表示される。図１０に示す説明画面１２０は、第１加熱調理器２’における第１乾電池６８’の電池交換の具体的な手順を示している。なお、図１０に示す説明画面１２０に、第１加熱調理器２’で使用する第１乾電池６８’の種類および個数を併記して表示してもよい。また、加熱調理器２が第２加熱調理器２’’である場合、図１１に示す説明画面１３０が表示部１０２に表示される。図１１に示す説明画面１３０は、第２加熱調理器２’’における第２乾電池６８’’の電池交換の具体的な手順を示している。なお、図１１に示す説明画面１３０に、第２加熱調理器２’’で使用する第２乾電池６８’’の種類および個数を併記して表示してもよい。図９のＳ３０の後、処理はＳ２２へ戻る。
【００４９】
図９に示す処理によれば、携帯端末１００は、管理サーバ３００から電池交換関連情報を受信した場合に、携帯端末１００と加熱調理器２の間の距離に応じて、表示部１０２に表示する内容を切り換える。携帯端末１００と加熱調理器２の間の距離が離れている場合には、ユーザは加熱調理器２から離れた位置にいると考えられる。このような場合には、携帯端末１００の表示部１０２に、加熱調理器２の乾電池６８の電池交換が必要である旨のメッセージとともに、加熱調理器２で使用する乾電池６８の種類および個数を表示する。これによって、ユーザに加熱調理器２の乾電池６８の電池交換を促すとともに、必要な乾電池６８の種類および個数を知らせることができる。また、携帯端末１００と加熱調理器２の間の距離が近い場合には、ユーザは加熱調理器２に近い位置にいると考えられる。このような場合には、携帯端末１００の表示部１０２に、加熱調理器２における乾電池６８の電池交換の手順を示す説明画面を表示する。これによって、ユーザが加熱調理器２の乾電池６８の電池交換を行うことを支援することができる。
【００５０】
上記の実施例では、加熱調理器２の乾電池６８の電池残量が低下した場合に、管理サーバ３００から携帯端末１００に電池交換関連情報を送信し、携帯端末１００が電池交換関連情報を提示する構成について説明した。これとは異なり、例えば加熱調理器２からの手動または自動の情報提供要求に応じて、その加熱調理器２で使用する専用容器（図示せず）の取付手順を示す容器取付手順情報や、その加熱調理器２の掃除の手順を示す掃除手順情報を、管理サーバ３００から携帯端末１００に送信して、携帯端末１００が容器取付手順情報や掃除手順情報を提示する構成としてもよい。
【００５１】
上記の実施例では、携帯端末１００と加熱調理器２の間の距離を、携帯端末１００と加熱調理器２の間のＢＴ通信における受信電波強度に基づいて算出する構成について説明したが、これ以外の距離測定方法によって、携帯端末１００と加熱調理器２の間の距離を特定してもよい。また、上記の実施例では、携帯端末１００と加熱調理器２の間の距離の特定を携帯端末１００の制御部１１０が行っているが、加熱調理器２の制御部８０が携帯端末１００と加熱調理器２の間の距離を特定する構成としてもよい。
【００５２】
上記の実施例では、加熱調理器２の乾電池６８（例えば単１形２個）が、加熱調理器２の全ての電子部品に共通して電力を供給する場合について説明した。これとは異なり、加熱調理器２の乾電池６８の一部（例えば単３形４個）が、加熱調理器２の一部の電子部品（例えばコンロ表示部４６、グリル表示部６４等の液晶表示部品）に電力を供給し、残余の乾電池６８（例えば単１形２個）が、加熱調理器２の残余の電子部品に電力を供給する構成としてもよい。
【００５３】
上記の実施例では、加熱調理器２が乾電池６８から電力を供給される構成について説明したが、加熱調理器２は乾電池６８以外の電池、例えば再充電可能な充電池から電力を供給される構成としてもよい。すなわち、第１加熱調理器２’が、第１乾電池６８’の代わりに、例えば再充電可能な充電池から電力を供給される構成としてもよいし、第２加熱調理器２’’が、第２乾電池６８’’の代わりに、例えば再充電可能な充電池から電力を供給される構成としてもよい。
【００５４】
上記の実施例において、図８の処理の一部または全部を、管理サーバ３００の制御部３１０の代わりに、携帯端末１００の制御部１１０が行ってもよい。この場合、図７のＳ６において、加熱調理器２の制御部８０は、加熱調理器２の型式情報と電池残量低減情報を携帯端末１００に送信する。そして、携帯端末１００の制御部１１０は、図８のＳ１２において電池残量低減情報を受信すると、Ｓ１４において、管理サーバ３００と通信して、加熱調理器２の型式情報をキーとして、管理サーバ３００の記憶部３２０のメンテナンスＤＢから、その加熱調理器２の電池交換関連情報をダウンロードする。あるいは、携帯端末１００の制御部１１０は、事前に管理サーバ３００からメンテナンスＤＢの全体の内容をダウンロードしてメモリ１１２に格納しておき、図８のＳ１４において、加熱調理器２の型式情報をキーとして、メモリ１１２のメンテナンスＤＢから、その加熱調理器２の電池交換関連情報を特定してもよい。その後、携帯端末１００の制御部１１０は、図９のＳ２４以降の処理を実行する。
【００５５】
上記の実施例では、ユーザに電池交換関連情報を提示する外部端末として携帯端末１００を用いる場合について説明したが、携帯端末１００の代わりに給湯リモコン２００を外部端末として用いてもよい。
【００５６】
上記の実施例において、加熱調理器２とＢＴ通信を行い、かつＷｉ−Ｆｉルータ８００とＷｉ−Ｆｉ通信を行う中継装置として、給湯リモコン２００を用いる構成について説明したが、このような中継装置として、給湯リモコン２００の代わりに、加熱調理器２の近傍に設置される機器、例えばレンジフードを用いてもよい。また、ユーザに電池交換関連情報を報知する外部端末として、携帯端末１００を用いる代わりに、加熱調理器２の近傍に設置される機器、例えばレンジフードを用いてもよい。
【００５７】
以上のように、１またはそれ以上の実施形態に係る機器連携システム１は、加熱調理器２と、加熱調理器２と通信可能な携帯端末１００（外部端末の例）を備えている。加熱調理器２は、第１識別情報を有する第１加熱調理器２’と、第２識別情報を有する第２加熱調理器２’’を含むグループから選択されている。携帯端末１００は、加熱調理器２が第１識別情報を有する場合に、第１加熱調理器２’に対応する第１機器連携処理（例えば、第１加熱調理器２’の第１乾電池６８’の電池交換関連情報の提示処理）を実行し、加熱調理器２が第２識別情報を有する場合に、第２加熱調理器２’’に対応する第２機器連携処理（例えば、第２加熱調理器２’’の第２乾電池６８’’の電池交換関連情報の提示処理）を実行する。
【００５８】
上記の機器連携システム１によれば、加熱調理器２が第１加熱調理器２’である場合であっても、第２加熱調理器２’’である場合であっても、共通の携帯端末１００によって、第１加熱調理器２’および第２加熱調理器２’’それぞれに対応した機器連携処理を実行することができる。
【００５９】
機器連携システム１では、第１加熱調理器２’は、第１乾電池６８’（第１電池の例）を備えており、第１乾電池６８’から供給される電力によって動作する。第２加熱調理器２’’は、第２乾電池６８’’を備えており、第２乾電池６８’’から供給される電力によって動作する。第１機器連携処理は、第１加熱調理器２’における第１乾電池６８’の交換に関する情報をユーザに提示する第１電池交換情報提示処理を含んでいる。第２機器連携処理は、第２加熱調理器２’’における第２乾電池６８’’の交換に関する情報をユーザに提示する第２電池交換情報提示処理を含んでいる。
【００６０】
一般的に、加熱調理器２の種類が異なると、その加熱調理器２で使用される乾電池６８の種類や個数、電池交換の方法なども異なる。上記の機器連携システム１によれば、共通の携帯端末１００を用いて、加熱調理器２が第１加熱調理器２’である場合には、第１加熱調理器２’の第１乾電池６８’の電池交換に関する情報をユーザに提示することができ、加熱調理器２が第２加熱調理器２’’である場合には、第２加熱調理器２’’の第２乾電池６８’’の電池交換に関する情報をユーザに提示することができる。
【００６１】
機器連携システム１では、携帯端末１００の制御部１１０およびＢＴＩ／Ｆ１０６が、加熱調理器２と携帯端末１００の間の距離を検出する距離検出装置として機能する。携帯端末１００は、第１機器連携処理または第２機器連携処理を実行する際に、検出された加熱調理器２と携帯端末１００の間の距離に応じて、実行する処理の内容を切り換える。
【００６２】
例えば乾電池６８の電池交換といった加熱調理器２のメンテナンスに関する情報を携帯端末１００によって提示する場合、ユーザが加熱調理器２から離れた位置にいる時に、加熱調理器２に対する具体的なメンテナンス方法を提示しても、ユーザは加熱調理器２のメンテナンスをすぐに実行することはできない。上記の構成によれば、加熱調理器２と携帯端末１００の間の距離に応じて、携帯端末１００が実行する機器連携処理の内容を切り換えることで、ユーザの状況に応じた機器連携処理を実行することができる。
【００６３】
機器連携システム１は、携帯端末１００と通信可能な管理サーバ３００（サーバ装置の例）をさらに備えている。管理サーバ３００は、加熱調理器２が第１識別情報を有する場合に、携帯端末１００が第１機器連携処理を実行する際に使用する第１情報（例えば第１加熱調理器２’についての電池交換関連情報）を携帯端末１００に送信し、加熱調理器２が第２識別情報を有する場合に、携帯端末１００が第２機器連携処理を実行する際に使用する第２情報（例えば第２加熱調理器２’’についての電池交換関連情報）を携帯端末１００に送信する。
【００６４】
上記の構成によれば、携帯端末１００で行う処理の負荷を軽減することができる。
【００６５】
１またはそれ以上の実施形態に係る加熱調理器アプリ（プログラムの例）は、加熱調理器２と通信可能な携帯端末１００（外部端末の例）において実行される。加熱調理器２は、第１識別情報を有する第１加熱調理器２’と、第２識別情報を有する第２加熱調理器２’’を含むグループから選択されている。加熱調理器アプリは、携帯端末１００の制御部１１０（コンピュータの例）に、加熱調理器２が第１識別情報を有する場合に、第１加熱調理器２’に対応する第１機器連携処理（例えば、第１加熱調理器２’の第１乾電池６８’の電池交換関連情報の提示処理）を実行させ、加熱調理器２が第２識別情報を有する場合に、第２加熱調理器２’’に対応する第２機器連携処理（例えば、第２加熱調理器２’’の第２乾電池６８’’の電池交換関連情報の提示処理）を実行させる。
【００６６】
上記の構成によれば、加熱調理器２が第１加熱調理器２’である場合であっても、第２加熱調理器２’’である場合であっても、共通の携帯端末１００によって、第１加熱調理器２’および第２加熱調理器２’’それぞれに対応した機器連携処理を実行することができる。
【００６７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６８】
１        ：機器連携システム
２        ：加熱調理器
２’      ：第１加熱調理器
２’’    ：第２加熱調理器
４        ：本体
４ａ      ：前面
６        ：天板
８ａ      ：五徳
８ｂ      ：五徳
８ｃ      ：五徳
１０ａ    ：コンロバーナ
１０ｂ    ：コンロバーナ
１０ｃ    ：コンロバーナ
１２ａ    ：温度センサ
１２ｂ    ：温度センサ
１２ｃ    ：温度センサ
２０      ：グリル庫
２１      ：グリルバーナ
２２      ：グリル扉
２４      ：コンロ操作部
２６      ：グリル操作部
４０      ：電源スイッチ
４２ａ    ：加熱量操作部
４２ｂ    ：加熱量操作部
４２ｃ    ：加熱量操作部
４４      ：パネル操作部
４６      ：コンロ表示部
４８ａ    ：コンロ設定操作部
４８ｂ    ：コンロ設定操作部
４８ｃ    ：コンロ設定操作部
６０      ：加熱量操作部
６２      ：パネル操作部
６４      ：グリル表示部
６６      ：グリル設定操作部
６８      ：乾電池
６８’    ：第１乾電池
６８’’  ：第２乾電池
７０      ：電池残量検出部
７２      ：ＢＴＩ／Ｆ
８０      ：制御部
８２      ：メモリ
１００    ：携帯端末
１０２    ：表示部
１０４    ：操作部
１０６    ：ＢＴＩ／Ｆ
１０８    ：Ｗｉ−ＦｉＩ／Ｆ
１１０    ：制御部
１１２    ：メモリ
２００    ：給湯リモコン
２０２    ：表示部
２０４    ：操作部
２０６    ：ＢＴＩ／Ｆ
２０８    ：Ｗｉ−ＦｉＩ／Ｆ
２１０    ：制御部
２１２    ：メモリ
３００    ：管理サーバ
３１０    ：制御部
３２０    ：記憶部
５００    ：レシピサーバ
５１０    ：制御部
５２０    ：記憶部
６００    ：アプリサーバ
６１０    ：制御部
６２０    ：記憶部
７００    ：インターネット
８００    ：Ｗｉ−Ｆｉルータ
【図１】
2020120166.tif 000003
【図２】
2020120166.tif 000004
【図３】
2020120166.tif 000005
【図４】
2020120166.tif 000006
【図５】
2020120166.tif 000007
【図６】
2020120166.tif 000008
【図７】
2020120166.tif 000009
【図８】
2020120166.tif 000010
【図９】
2020120166.tif 000011
【図１０】
2020120166.tif 000012
【図１１】
2020120166.tif 000013